(57)【要約】      （修正有）【課題】アスパラガス等、を所定の長さに正確に揃えて採取できる構造が簡単で取り扱いが容易な茎野菜収穫鋏を提供する。【解決手段】受刃側把持部材７の中間位置に当接部材９を突接したので、アスパラガス等を切取り収穫する際に、茎野菜収穫鋏を密集したアスパラガス茎の中に繰返し挿入しても、茎野菜収穫鋏の受刃側把持部材が変形せず、被収穫物を両側から茎野菜を確実に把持出来、切刃側把持部材８と切刃２との間に間隙調整部材１０を装着して、茎野菜収穫鋏の切刃側を地中に突き刺して、茎野菜の茎を地中で切り取り、茎野菜を両側から受刃側把持部材と切刃側把持部材で確実に把持出来る様になった。更に、アスパラガス等を立った状態で切り取り作業が行え、疲れず、腰痛等も起こり難いし難くなり、作業効率化も向上した。【選択図】図１
0003191756.tif 000002
【実用新案登録請求の範囲】
【請求項１】
相対する一対の受刃１と切刃２とを有する一対の鋏構成部材６ａ，６ｂを、支軸５にて回動自在に枢着した収穫鋏６において、前記受刃１と切刃２の側に突接して、同受刃１と切刃２とを連動開閉して被収穫物を両側から茎野菜を把持する針金３に緩衝材４を被覆した一対の受刃側把持部材７と、切刃側把持部材８の一端側を夫々、一対の鋏構成部材６ａ，６ｂの締め付け固定部に取り付け、前記一対の受刃側把持部材７を、切刃側把持部材８が囲撓して、両把持部材７、８が互いに当接しない形状に形成し、前記受刃側把持部材７の一端側と他端側の中間位置で、前記受刃１に前記受刃側把持部材７に当接する当接部材９を突接したことを特徴とする茎野菜収穫鋏。
【請求項２】
上記切刃２の側に突接した上記切刃側把持部材８と、前記切刃２との間に間隙調整部材１０を装着したことを特徴とする請求項１に記載の茎野菜収穫鋏。
【請求項３】
上記収穫鋏６にハンドル１１を有するシャフト１２と、同シャフト１２に伝達手段を介して前記収穫鋏６を操作する操作手段とを取付けたことを特徴とする請求項１に記載の茎野菜収穫鋏。
【考案の詳細な説明】
【技術分野】
【０００１】  本考案は、アスパラガス、ウド等の茎野菜や、だらの芽等の（木の目）や、菊、カーネション等の切花を収穫する茎野菜収穫鋏に関する。
【背景技術】
【０００２】  アスパラガス、ウド等の茎野菜は、作業者が屈んだ状態で地面に植わっている植物を採取していたので、疲れやすく、腰痛の原因となっており、種々の茎野菜収穫鋏が多用されている。
【先行技術文献】
【特許文献】
【０００３】
【特許文献１】実開平７−３０６３１号公報
【考案の概要】
【考案が解決しようとする課題】
【０００４】アスパラガス等を切取り収穫する際に、密集したアスパラガス茎の中に茎野菜収穫鋏をその都度、挿入して繰返し作業するために、茎野菜収穫鋏の受刃側把持部材が変形して、被収穫物を両側から茎野菜を把持出来なかった。【０００５】また、茎野菜収穫鋏の受刃側と切刃側を地中に突き刺し、茎野菜の茎を地中で切り取る場合は、切り取った茎野菜を両側から受刃側把持部材と切刃側把持部材で、茎野菜を確実に把持出来ないこともあった。【０００６】  更に、アスパラガス、ウド等の茎野菜を、作業者が屈んだ状態で植物を採取していたので、疲れやすく、腰痛の原因となっていた。本考案はこのような課題を解決するために、構造が簡単で取り扱いが容易な茎野菜収穫鋏を提供することを目的とする。
【課題を解決するための手段】
【０００７】  このような目的を達成するために、本考案は、相対する一対の受刃１と切刃２とを有する一対の鋏構成部材６ａ，６ｂを、支軸５にて回動自在に枢着した収穫鋏６において、前記受刃１と切刃２の側に突接して、同受刃１と切刃２とを連動開閉して被収穫物を両側から茎野菜を把持する針金３に緩衝材４を被覆した一対の受刃側把持部材７と、切刃側把持部材８の一端側を夫々、一対の鋏構成部材６ａ，６ｂの締め付け固定部に取り付け、前記一対の受刃側把持部材７を、切刃側把持部材８が囲撓して、両把持部材７、８が互いに当接しない形状に形成し、前記受刃側把持部材７の一端側と他端側の中間位置で、前記受刃１に前記受刃側把持部材７に当接する当接部材９を突接したことを特徴とする茎野菜収穫鋏である。【０００８】加えて、茎野菜収穫鋏の切刃２の側に突接した切刃側把持部材８と、切刃２との間に間隙調整部材１０を装着（挿着）した。【０００９】更に、収穫鋏６にハンドル１１を有するシャフト１２と、同シャフト１２に伝達手段を介して前記収穫鋏６を操作する操作手段を備えた。
【考案の効果】
【００１０】  本考案は上記構成を備え、以下の効果を奏する。前記一対の受刃側把持部材７を、切刃側把持部材８が囲撓して、両把持部材７、８が互いに当接しない形状に形成し、  受刃側把持部材の一端側と他端側の中間位置で、受刃に受刃側把持部材に当接する当接部材を突接したので、アスパラガス等を切取り収穫する際に、密集したアスパラガス茎の中に茎野菜収穫鋏をその都度、挿入して繰返し作業しても、茎野菜収穫鋏の受刃側把持部材が変形せず、被収穫物を両側から茎野菜を確実に把持出来る様になった。  また、切刃側把持部材と、切刃との間に間隙調整部材を装着したので、茎野菜収穫鋏の受刃側と切刃側を地中に突き刺し、茎野菜の茎を地中で切り取る場合は、切り取った茎野菜を両側から受刃側把持部材と切刃側把持部材で確実に把持出来る様になった。更に、収穫鋏の上部にハンドルを有するシャフトを取付け、伝達手段（操作ワイヤー）を介して収穫鋏を操作する操作手段（操作レバー）を備えたので、地面に植わっているアスパラガス等を立った状態で切り取り作業が行えて、疲れず、腰痛等も起こり難くなり、結果的に、作業効率化も向上した。
【図面の簡単な説明】
【００１１】
【図１】本考案に係る収穫鋏の要部を示す斜視図
【図２】図１に図示の収穫鋏の裏面図
【図３】本考案に係る茎野菜収穫鋏の一実施例を示す全体の斜視図である。
【考案を実施するための形態】
【００１２】  図１から図３を参考に本考案に係る野菜収穫鋏の一実施例を以下説明する。
【実施例】
【００１３】  図１は、本考案に係る野菜収穫鋏の要部を示す斜視図で、本実施例に基づき詳細に説明する。【００１４】  図１に図示する如く、収穫鋏６は、受刃１と切刃２を有する１対の鋏構成部材６ａ、６ｂが搖動（開閉）可能に支軸５で軸支されている様子を示している。１対の鋏構成部材６ａ、６ｂには、受刃１と切刃２の刃面に対し、上方に、それぞれ、直角方向に配置された受刃側把持部材７と切刃側把持部材８が取りつけてある。更に、受刃側把持部材７と切刃側把持部材８は、針金３にビニールチューブ（緩衝材４）を被覆してなる。本実施例では茎野菜収穫鋏の受刃側把持部材７の一端側と、他端側の中間位置に、受刃１に受刃側把持部材７に当接する当接部材９を直角方向に突接した。  具体的には、受刃側把持部材７に当接する当接部材９の先端部が、切刃側把持部材８に当たらない長さにしたので、アスパラガス等を切取り収穫する際に、密集したアスパラガス茎の中に茎野菜収穫鋏をその都度、挿入して繰返し作業しても、茎野菜収穫鋏の受刃側把持部材７が変形せず、被収穫物を両側から茎野菜を確実に把持出来る様になった。また、切刃側把持部材８と、切刃２との間に間隙調整部材１０を装着（挿着）したので、茎野菜収穫鋏の受刃側と切刃側を地中に突き刺し、茎野菜の茎を地中で切り取る場合は、切り取った茎野菜を両側から切刃側把持部材８と受刃側把持部材７で確実に把持出来る様になった。【００１５】  図２は図１に図示の収穫鋏６の裏面図で、収穫鋏６は、受刃１と切刃２を有する１対の鋏構成部材６ａ、６ｂが搖動（開閉）可能に支軸５で軸支している様子を図示している。【００１６】  更に、操作ワイヤー１４の終端側は、鋏構成部材６ａに操作ワイヤー固着具１４ａでナットを介して締付られ、操作ワイヤー１４の一端側は、シャフト１２を挿通して、ハンドル１１に搖動自在に取付けられた操作レバー１３に取付られている。
本実施例での操作ワイヤーには、鋼線を用いて曲りなどによる伸縮を防止し、確実に操作できるようにした。【００１７】また、シャフト１２に収穫目安測定棒１６をバンド１５で取付けている。【００１８】図３は、本考案に係る茎野菜収穫鋏６の一実施例を示す全体の斜視図である。
図３において符号１１は収穫用鋏のハンドルを示している。シャフト１２の下端部には収穫鋏６が連結してある。また、シャフト１２の上端部にはハンドル１１が取付けられて、ハンドル１１には、収穫鋏６を開閉操作する操作レバー１３が取付けてある。
【産業上の利用可能性】
【００１９】  本考案は、アスパラガスを収穫する事例を説明したが、ウド等の茎野菜や、菊、カーネション等の地面の作業に限らず、だらの芽等の高所の収穫作業にも利用可能である。
【符号の説明】１    受刃
２    切刃
３    針金３（鋼線）
４    緩衝材（ビニールチューブ）
５    支軸
６    収穫鋏
６ａ、６ｂ  鋏構成部材
７    受刃側把持部材
８    切刃側把持部材
９    受刃側把持部材に当接する当接部材
１０  間隙調整部材
１１  ハンドル
１２  シャフト
１３  操作レバー（操作手段）
１４  操作ワイヤー（伝達手段）
１４ａ  操作ワイヤー固着具
１５  バンド
１６  収穫目安測定棒
【図１】
0003191756.tif 000003
【図２】
0003191756.tif 000004
【図３】
0003191756.tif 000005